(57)【要約】      （修正有）【課題】様々な機能性靴に適し、ユーザーの足の形状に合ったアーチパッドを提供する。【解決手段】ベース部１０の前足部１０１及びアーチ部１０３上に設けられた異なる形状の凸部１０７によって、アーチパッドをユーザーの足底によりフィットさせ、また、ベースの異なる部位の厚さを調整することで、両方の組み合わせにより、ユーザーがランニングしたり、ジャンプしたり、ウォーキングしたりする際に、靴と足が一体化するという快適な感覚を実現することができる。ユーザーの身体の異なるニーズに応じて、異なる機能を有する磁石を随時交換することで、ユーザーに必要な微量元素を補充する。不織布膜層２０上の凸線及びクロス凹溝の設計により、ユーザーの足裏とアーチパッドとの間の摩擦力を増加させることで、足裏はアーチパッドにさらに密着しフィットする。最後に、遠赤外線コーティングの設計により、足の先端が冷えるという問題を回避する。【選択図】図１
0003233694.tif 000002
【実用新案登録請求の範囲】
【請求項１】
アーチパッドであって、
ベースと、ベースをカバーする不織布膜層とを有し、前記ベースは、酢酸ビニル共重合体材料で構成され、前記ベースの一端が前足部であり、前記前足部は、アーチ部を介して他端の踵部に接続され、前記前足部と前記アーチ部には、複数の凸部がさらに設けられ、
前記前足部の下面には、ユーザーが切断するための複数の切断線が設けられ、
前記ベースの底部には、前記アーチパッドを靴の接触面に密着させて滑らないようにするための複数の滑り止め部が設けられ、
前記不織布膜層には、遠赤外線コーティングが塗布され、
前記ベースと前記不織布膜層との間に、ユーザーの足の形状を記憶するための記憶層がさらに設けられる、ことを特徴とするアーチパッド。
【請求項２】
前記踵部の厚さは前記前足部の厚さよりも厚い、ことを特徴とする請求項１に記載のアーチパッド。
【請求項３】
前記凸部は、短冊形、円形、楕円形または矩形の形状を有する、ことを特徴とする請求項１に記載のアーチパッド。
【請求項４】
前記ベースには、磁石を埋め込むための凹溝がさらに設けられ、前記磁石は、交換可能である、ことを特徴とする請求項１に記載のアーチパッド。
【請求項５】
前記不織布膜層の表面には、複数の凸線がさらに設けられ、複数の凸線は、互いに垂直に交差して、複数の菱形の格子を規定し、前記菱形の格子は、さらに複数のクロス凹溝を規定している、ことを特徴とする請求項１に記載のアーチパッド。
【考案の詳細な説明】
【技術分野】
【０００１】
本考案は、アーチパッドに関し、特に、酢酸ビニル共重合体材料で構成されたベースが不織布膜層で覆われ、表面に複数の凸部があるアーチパッドに関する。
【背景技術】
【０００２】
フィットネスやスポーツの風潮の高まりとともに、消費者は、靴を選択するとき、様々なスポーツをする際に自分の足の形状に合った靴を選択する。しかしながら、機能性靴の多くは単一の特別な機能のためだけに強化されるため、履いたときの快適性を見過ごすことが多い。最も大きな問題は、靴パッドの設計である。機能性靴の設計の多くは、靴本体の材料の通気性、足首の被覆性、及び靴底の滑り止め性に注目している。少数のものは、靴本体の部分的な設計が強化されているが、ユーザーと最も密接に接触する重要な付属品「靴パッド」を見過ごすことがよくある。靴パッドの機能は、ユーザーが靴を履いたときに、靴パッドの形状の設計によって、足裏が靴に密着するようにすることで、靴の他の機能を最大限に発揮することである。
【０００３】
しかしながら、様々な機能性靴は靴自体の機能性を重視する一方で、靴パッドは最も見過ごされがちな存在である。様々な機能性靴を履いて、足を保護する機能を楽しむが、ユーザーは、足底にまめができたり、足裏に擦り傷ができたりするという問題に遭遇することが多い。従って、様々な機能性靴に適し、ユーザーの足の形状に合った靴パッドを提供するのは、本考案の出願人やこの業界の関連メーカーが研究と改良の方向性を検討したいことである。
【考案の概要】
【考案が解決しようとする課題】
【０００４】
そこで、本考案は、異なる部位の厚さ及び表面の複数の凸部の設計によって、ユーザーの足の形状に合わせた効果を果たすことができるだけでなく、耐久性の要求を満たすこともできるアーチパッドを提供する。
【課題を解決するための手段】
【０００５】
アーチパッドは、ベースと、ベースをカバーする不織布膜層とを有する。ベースは、酢酸ビニル共重合体材料で構成され、ベースの一端が前足部であり、前足部は、アーチ部を介して他端の踵部に接続され、前足部とアーチ部には、複数の凸部がさらに設けられる。
【０００６】
前記アーチパッドでは、踵部の厚さは前足部の厚さよりも厚い。
【０００７】
前記アーチパッドでは、凸部は、短冊形、円形、楕円形及び矩形などの形状を有し得る。
【０００８】
前記アーチパッドでは、ベースには、磁石を埋め込むための凹溝がさらに設けられ、磁石は、交換可能である。
【０００９】
前記アーチパッドでは、不織布膜層の表面には、複数の凸線がさらに設けられ、複数の凸線は、互いに垂直に交差して、複数の菱形の格子を規定している。
【００１０】
前記アーチパッドでは、菱形の格子は、さらに複数のクロス凹溝を規定している。
【００１１】
前記アーチパッドでは、不織布膜層には、遠赤外線コーティングが塗布されている。
【００１２】
前記アーチパッドでは、前記前足部の下面には、ユーザーが切断するために複数の切断線が設けられる。
【００１３】
前記アーチパッドでは、ベースの底部には、前記アーチパッドを靴の接触面に密着させて滑らないようにするための複数の滑り止め部が設けられる。
【００１４】
前記アーチパッドでは、ベースと不織布膜層との間に、ユーザーの足の形状を記憶するための記憶層がさらに設けられる。
【考案の効果】
【００１５】
本考案によって提供されるアーチパッドは、ベース部の前足部及びアーチ部上に設けられた異なる形状の凸部によって、アーチパッドをユーザーの足底によりフィットさせ、また、ベースの異なる部位の厚さを調整することで、両方の組み合わせにより、ユーザーがランニングしたり、ジャンプしたり、ウォーキングしたりする際に、靴と足が一体化するという快適な感覚を実現することができる。
【００１６】
また、ユーザーの身体の異なるニーズに応じて、異なる機能を有する磁石を随時交換することで、ユーザーに必要な微量元素を補充する。不織布膜層上の凸線及びクロス凹溝の設計により、ユーザーの足裏とアーチパッドとの間の摩擦力を増加させることで、足裏はアーチパッドにさらに密着しフィットする。最後に、遠赤外線コーティングの設計により、ユーザーの足底の血液循環を促進し、血液を活性化する機能を実現し、足の先端が冷えるという問題を回避する。
【図面の簡単な説明】
【００１７】
【図１】本考案の一実施例によるアーチパッドの分解図である。
【図２】本考案の一実施例によるアーチパッドの上面図である。
【図３】本考案の一実施例における不織布膜層の部分拡大上面図である。
【図４】本考案の一実施例によるアーチパッドの底面図である。
【考案を実施するための形態】
【００１８】
本考案は、アーチパッド１を開示する。ここで、使用される靴パッドの構造は、当業者にはすでに明らかであるため、以下の説明は、完全な記述をしない。なお、以下で参照される図面は、本考案の特徴と関連する構造を表す模式図であり、実際の寸法に基づいて完全に描いたものではなく、実際の寸法に基づいて完全に描かれる必要もない。
【００１９】
本考案の一実施例により提供されるアーチパッド１の分解図である図１を参照されたい。このアーチパッド１は、ベース１０と、ベース１０をカバーする不織布膜層２０とを有する。このカバー方法は、プレス接合や粘着などの方法による接合で実現され得る。ベース１０は、酢酸ビニル共重合体材料で構成される。この材料の特性は、良好な可撓性と柔軟性を持ち、ユーザーの足底からの力を均一に分散させることができ、足裏又は踵が受ける重力をアーチ部に分散させて、足底にかかる力を平均化し、長時間の単一点の局部的な力による足底への損傷を回避し、足底への圧力を軽減することである。このベース１０の一端は前足部１０１である。この前足部１０１は、人体の足裏構造の形状に対応して、広い平面として設計される。この前足部１０１は、アーチ部１０３を介して、他端の踵部１０５に接続される。このアーチ部１０３は、人体の足裏のアーチ部の突出した構造的特性に適合するために、前足部１０１と踵部１０５の厚さよりも厚い其厚さを有し、それにより、足裏をアーチパッド１によりよくフィットする。前足部１０１とアーチ部１０３には、複数の凸部１０７がさらに設けられる。複数の凸部１０７が設計された位置は、人体の足裏の各つぼに対応する。アーチパッド１を踏む際に、複数の凸部１０７は人体の足底のつぼを押して、血液循環を促進し筋肉の疲労を緩和するなどの効果を果たし、足裏の快適性を増加するだけでなく、さらに足底の保養の効果に達する。
【００２０】
特に、踵部１０５の厚さは、前足部１０１の厚さよりも厚い。人体の足裏の構造は、足裏が広く、踵が狭いため、歩行時に、踵にかかる圧力は、足裏にかかる圧力よりもはるかに大きくなる。従来の靴パッドは同じ厚さになるように設計され、ユーザーの踵に不快感を与えることがよくある。ランニングやジャンプの際に、踵にかかる大きな圧力は、足底筋膜炎を引き起こしやすい。そのため、本考案は、前足部１０１と踵部１０５の厚さを設計するとき、全体的に圧力を均一に分散させる効果を果たすために、踵部１０５の厚さを強化して、その厚さを前足部１０１の厚さよりも厚くする。この設計により、ユーザーの踵が踵部１０５を踏むと、より厚い踵部１０５の設計によって、踵にかかる圧力を足裏にかかる圧力と同じにすることができる。アーチパッド１の厚さの設計によって、足底に均一な圧力がかかる効果を実現する。
【００２１】
本考案のアーチパッド１の上面図である図２を参照されたい。人体の足底のつぼの位置は単一点構成ではないため、時には人体の足底構造の違いにより、足底のつぼの位置が異なることがある。しかしながら、多数のユーザーのニーズを満たすために、凸部１０７の構成は、短冊形、円形、楕円形及び矩形などの構成であり得る。この実施例では、特に、前足部１０１の中央及び右側の下縁において、互いに垂直な２つの短冊形の凸部１０７が設けられる。アーチ部１０３の位置に、３つの楕円形の凸部１０７が設けられ、そのうちの１つは足裏の中央位置に配置され、他の２つは足裏の中央の下縁に並べて配置され、足底との接触面積が足裏の中央に配置された凸部１０７よりも大きく、それにより、ユーザーの足裏の快適さが向上する。
【００２２】
なお、ベース１０には、前足部１０１の左下縁に凹溝１０９がさらに設けられる。この実施例では、凹溝１０９の構成は円形であるが、その形状は限定されず、必要に応じて形状を調整することができる。凹溝１０９の主要な用途は、主に磁石を埋め込むことである。ユーザーの異なる身体のニーズに応じて、異なる効果の磁石、例えば、フェライト、Ａｌ−Ｎｉ−Ｃｏ合金、希土類磁石などの様々な種類の磁石を埋め込むことができる。磁石は随時交換可能であり、季節ごとにユーザーによって交換されて、体に必要な様々な放射性エネルギーを補うために使用される。
【００２３】
続けて図３を参照されたい。不織布膜層２０の表面には、人体の足裏との摩擦力を増加させるために、複数の凸線２０１がさらに設けられる。複数の凸線２０１は、互いに垂直に交差して、複数の菱形の格子２０３を規定している。凸線２０１によって絡み合った複数の菱形の格子２０３により、アーチパッド１と足底との密着程度が向上し、ユーザーが歩行する時に滑りが発生することがない。
【００２４】
なお、菱形の格子２０３の間に複数のクロス凹溝２０５がさらに規定されている。複数の凸線２０１によって絡み合った菱形の格子２０３により、摩擦力が増加するとともに、菱形の格子２０３の間の隙間により、複数のクロス凹溝２０５が規定される。それにより、足底とアーチパッド１の間において、複数のクロス凹溝２０５によって生じた隙間を通してガスが流れることができるので、足底の通気効果が実現され、長時間アーチパッド１に密着した足底に皮膚病が引き起こされるという問題が回避される。足底は、人体の最も地面に接触しやすい器官であり、水虫や爪白癬などの病気を引き起こす大量の細菌やカビに非常に汚染されやすい。複数の凸線２０１によって絡み合った菱形の格子２０３で規定されている複数のクロス凹溝２０５は、通気と熱放散の効果を達成する。
【００２５】
その上、本考案では、不織布膜層２０の表面に、遠赤外線コーティングをさらに塗布する。この遠赤外線コーティングは、負電荷を持つ遠赤外線エネルギーを放射することができ、不安感の解消、睡眠の質の向上、血圧の低下、新陳代謝の促進、脳の効率の向上、気道のスムーズ化、胃の分泌量の増加、消化管機能の向上など、人体により多くの有益な効果をもたらす。また、この遠赤外線コーティングにより発生した負電荷のエネルギーと、アーチパッド１上の複数の凸部１０７による足底つぼへの刺激との組み合わせにより、足底のつぼへの刺激が強化される。
【００２６】
図４に示すように、前足部１０１の下面には、ユーザーが切断するための複数の切断線１０１１がさらに設けられる。様々な年齢層、及び男性と女性の足裏のサイズに適応するために、本考案のこの実施例では、比例縮小された複数の切断線１０１１がアーチパッド１の下側の表面に描かれ、ユーザーが自分の足裏のサイズに合うアーチパッド１に切断するために使用される。
【００２７】
その上、アーチパッド１を靴の内側の底部によりぴったりと配置するために、且つ、アーチパッド１を靴の接触面に密着させて、ユーザーの着用時に滑らないようにし、ユーザーの歩行中にアーチパッド１の位置がずれないようにし、ユーザーの足部を摩擦し傷つけないようにするために、ベース１０の底部には複数の滑り止め部１１１がさらに設けられる。
【００２８】
本考案は、ユーザーの足裏にできるだけ密着してフィットするように設計しているが、更なる改良のために、本考案のこの実施例では、ベース１０と不織布膜層２０との間に、ユーザーの足の形状を記憶するための記憶層がさらに設けられる。それにより、アーチパッド１は、ユーザーの足の形状により適合し、快適さが向上する。また、ユーザーの足の形状に適合するため、アーチパッド１は、ユーザーの足裏により密着してフィットし、アーチパッド１による効果の完全性を向上させることができる。
【００２９】
上記は、本考案の好ましい実施例に過ぎず、本考案の登録請求の範囲を制限するためのものではない。同時に、上記の説明は、当業者によって理解し実施することができるため、本創作に開示される精神から逸脱することなく行われた他の同等の変更又は修正は、登録請求の範囲内に含まれるべきである。
【符号の説明】
【００３０】
アーチパッド   １
クロス凹溝  ２
ベース   １０
不織布膜層  ２０
前足部   １０１
アーチ部  １０３
踵部   １０５
凸部   １０７
凹溝   １０９
滑り止め部  １１１
凸線   ２０１
菱形の格子  ２０３
切断線   １０１１
【図１】
0003233694.tif 000003
【図２】
0003233694.tif 000004
【図３】
0003233694.tif 000005
【図４】
0003233694.tif 000006